(57)【特許請求の範囲】
【請求項１】
像担持体と、
該像担持体の表面に帯電バイアスを印加することにより前記像担持体表面を帯電させる帯電装置と、
前記像担持体の回転方向に対し前記帯電装置の下流側に配置され、前記像担持体と所定の現像ギャップをもって対向する現像剤担持体を有し、前記像担持体上に形成された静電潜像を現像する現像装置と、
前記像担持体の回転方向に対し前記現像装置の下流側に配置され、前記現像装置により前記像担持体上に形成されたトナー像を記録媒体に転写する転写部材と、
該転写部材と前記像担持体との転写ニップ部に所定のタイミングで記録媒体を搬送するレジストローラー対と、
該レジストローラー対から前記転写ニップに搬送される記録媒体の前記像担持体側の面に対向する第１搬送ガイドと、記録媒体の前記転写部材側の面に対向する第２搬送ガイドと、で構成される搬送ガイド部と、
を備えた画像形成装置において、
前記像担持体の外周面に沿って前記現像装置から前記転写部材までを覆う第１カバー部材が設けられており、前記第１カバー部材は、前記像担持体、前記現像装置、前記転写部材、前記レジストローラー対、及び前記搬送ガイドと共に略密閉空間を形成しており、
前記第１搬送ガイドに貫通孔を形成したことを特徴とする画像形成装置。
【請求項２】
前記第１搬送ガイドには、前記第２搬送ガイドと反対側の面から前記貫通孔を覆うフィルムが付設されており、前記フィルムは周縁部のみが前記第１搬送ガイドに固定されることを特徴とする請求項１に記載の画像形成装置。
【請求項３】
前記フィルムの表面には、蛇腹状の伸縮部が形成されることを特徴とする請求項２に記載の画像形成装置。
【請求項４】
前記貫通孔は、記録媒体搬送方向と直交する方向に複数形成されることを特徴とする請求項１乃至請求項３のいずれかに記載の画像形成装置。
【請求項５】
前記貫通孔は、記録媒体搬送方向を長辺とする小判形状であることを特徴とする請求項４に記載の画像形成装置。
【請求項６】
前記第１搬送ガイドの前記第２搬送ガイドとの対向面には、前記各貫通孔の間に記録媒体搬送方向に沿って延在する複数のリブが形成されることを特徴とする請求項４又は請求項５に記載の画像形成装置。
【請求項７】
前記第１カバー部材には、前記像担持体の回転方向に対し前記現像ギャップの下流側に形成される通気口と、該通気口を覆うフィルターとで構成される正圧調整口が設けられることを特徴とする請求項１乃至請求項６のいずれかに記載の画像形成装置。
【請求項８】
前記像担持体の外周面に沿って前記現像装置から前記帯電装置までを覆う第２カバー部材が設けられており、前記第２カバー部材には、前記像担持体の回転方向に対し前記現像ギャップの上流側に形成される通気口と、該通気口を覆うフィルターとで構成される負圧調整口が設けられることを特徴とする請求項１乃至請求項７のいずれかに記載の画像形成装置。
【発明の詳細な説明】
【技術分野】
【０００１】
本発明は、電子写真方式を利用した複写機、プリンター、ファクシミリ、それらの複合機等の画像形成装置に関するものである。
【背景技術】
【０００２】
従来の電子写真プロセスを用いた画像形成装置では、帯電装置により感光体ドラム等の像担持体表面を一様に帯電させ、露光装置からの露光（光照射）により像担持体上に静電潜像を形成し、形成された静電潜像を現像装置によってトナー像に現像する。そして、トナー像の形成タイミングに合わせてレジストローラー対から用紙（記録媒体）を搬送し、感光体ドラムと転写ローラーとが接触する転写ニップ部を通過する記録媒体上にトナー像を転写した後、定着処理を行うプロセスが一般的である。
【０００３】
上記のような構成では、用紙を水平方向に搬送する水平搬送方式の場合、レジストローラー対から感光体ドラムに搬送される用紙の上方に現像装置が配置される。そのため、現像装置から漏出したトナーにより用紙が汚れるおそれがある。
【０００４】
そこで、用紙の汚染を抑制する方法が種々提案されており、例えば特許文献１には、転写位置に向けて搬送される記録媒体の姿勢を規制する転写ガイド部材を備え、転写ガイド部材の像担持体に対向する位置に、現像位置から転写位置に向けて像担持体に沿って移動する気流を像担持体から離れる方向に案内する気流ガイド部材を設けた画像形成装置が開示されている。
【０００５】
また、特許文献２には、現像装置の下流側かつ転写ローラーの上流側に設けられ、転写ローラーと感光体ドラムとの間に用紙を導くガイドと、感光体ドラムの回転によって発生する第１の気流とは異なるガイドの下側を通過する第２の気流を発生させるファンと、用紙が通過する通紙経路よりも上流側かつ現像装置よりも下流側に設けられ、第１の気流の一部を第２の気流に導くための流路と、を備えた画像形成装置が開示されている。
【先行技術文献】
【特許文献】
【０００６】
【特許文献１】特開２００７−２４８８２６号公報
【特許文献２】特開２０１１−２５９４号公報
【発明の概要】
【発明が解決しようとする課題】
【０００７】
ところで、感光体ドラムや現像装置を含む画像形成部への粉塵の進入を防止するために、感光体ドラム周辺の気密性を高めた構成をとる場合がある。具体的には、レジストローラー対から転写ニップ部に用紙を搬送する搬送ガイドと、転写ニップ部から搬送ガイドを介して現像装置のハウジングまでを覆うカバーとを設ける。
【０００８】
上記の構成において、用紙の先端がレジストローラー対から転写ニップに進入する際、用紙の先端が感光体ドラムに衝突した瞬間、衝撃により用紙が撓む。また、用紙の後端がレジストローラー対のニップから離れた瞬間、用紙後端の支持がなくなるために用紙の撓みが解除される。この用紙の先端及び後端の変位は小さいものであるが、変位する時間が短いために空気流が発生する。
【０００９】
用紙の撓みにより発生した空気流は、感光体ドラムと現像ローラーとの現像ギャップ、転写ニップ、レジストローラー対のニップで構成される空間の気密性が高いために現像ギャップの僅かな隙間に流れる。その結果、現像電界によって現像ローラーから感光体ドラムへ飛翔するトナー粒子は空気流の影響を受けて、本来の感光体ドラム上の付着位置からずれた位置に付着する現像乱れが発生する。
【００１０】
本発明は、上記問題点に鑑み、像担持体、現像装置、転写部材、レジストローラー対で構成される空間の気密性を高めた構成において、記録媒体の急激な変位で発生する空気流による現像乱れを効果的に抑制できる画像形成装置を提供することを目的とする。
【課題を解決するための手段】
【００１１】
上記目的を達成するために本発明の第１の構成は、像担持体と、帯電装置と、現像装置と、転写部材と、レジストローラー対と、搬送ガイド部と、第１カバー部材と、を備えた画像形成装置である。帯電装置は、像担持体の表面に帯電バイアスを印加することにより像担持体表面を帯電させる。現像装置は、像担持体の回転方向に対し帯電装置の下流側に配置され、像担持体と所定の現像ギャップをもって対向する現像剤担持体を有し、像担持体上に形成された静電潜像を現像する。転写部材は、像担持体の回転方向に対し現像装置の下流側に配置され、現像装置により像担持体上に形成されたトナー像を記録媒体に転写する。レジストローラー対は、転写部材と像担持体との転写ニップ部に所定のタイミングで記録媒体を搬送する。搬送ガイド部は、レジストローラー対から転写ニップに搬送される記録媒体の像担持体側の面に対向する第１搬送ガイドと、記録媒体の転写部材側の面に対向する第２搬送ガイドと、で構成される。第１カバー部材は、像担持体の外周面に沿って現像装置から転写部材までを覆う。第１カバー部材は、像担持体、現像装置、転写部材、レジストローラー対、及び搬送ガイド部と共に略密閉空間を形成している。第１搬送ガイドには貫通孔が形成されている。
【発明の効果】
【００１２】
本発明の第１の構成によれば、第１搬送ガイドに形成された貫通孔からの空気の出入によって、記録媒体の先端が像担持体に衝突する際、および記録媒体の後端がレジストローラー対を抜ける際の記録媒体の変位に起因する略密閉空間内の圧変化を吸収することができる。従って、現像ギャップを通過する空気流が発生しないため、現像乱れの発生を効果的に抑制することができる。
【図面の簡単な説明】
【００１３】
【図１】本発明の第１実施形態に係る画像形成装置１００の全体構成を示す概略図
【図２】図１における画像形成部９の部分拡大図
【図３】用紙が転写ニップ部Ｎ２に進入する際の用紙の変位についての説明図
【図４】用紙がレジストローラー対８を通過する際の用紙の変位についての説明図
【図５】第１実施形態の画像形成装置１００に用いられる搬送ガイド部３０を構成する上搬送ガイド３０ａの側面図
【図６】図５の上搬送ガイド３０ａを上方から見た平面図
【図７】第１カバー部材３１に形成される正圧調整口３７の部分断面図
【図８】本発明の第２実施形態に係る画像形成装置１００に用いられる搬送ガイド部３０を構成する上搬送ガイド３０ａの側面図
【図９】図８の上搬送ガイド３０ａを上方から見た平面図
【図１０】本発明の第３実施形態に係る画像形成装置１００に用いられる搬送ガイド部３０を構成する上搬送ガイド３０ａの側面図
【図１１】図１０の上搬送ガイド３０ａを上方から見た平面図
【発明を実施するための形態】
【００１４】
以下、図面を参照しながら本発明の実施形態について説明する。図１は、本発明の第１実施形態に係る画像形成装置１００の全体構成を示す概略図であり、右側を画像形成装置１００の前方側として図示している。図１に示すように、画像形成装置１００（ここではモノクロプリンター）は、装置本体１の下部に積載された用紙を収容する給紙カセット２が備えられている。この給紙カセット２の上方には、装置本体１の前方から後方へ略水平に延び、更に上方へ延びて装置本体１の上面に形成された排紙部３に至る用紙搬送路４が形成されており、この用紙搬送路４に沿って上流側から順に、ピックアップローラー５、フィードローラー６、中間搬送ローラー７、レジストローラー対８、画像形成部９、定着装置１０及び排出ローラー対１１が配置されている。
【００１５】
給紙カセット２には、用紙搬送方向後端部に設けられた回動支点１２ａによって、給紙カセット２に対して回動可能に支持された用紙積載板１２が備えられており、用紙積載板１２上に積載された用紙（記録媒体）がピックアップローラー５に押圧されるようになっている。また、給紙カセット２の前方側には、フィードローラー６に圧接するようにリタードローラー１３が配設されており、ピックアップローラー５によって複数枚の用紙が同時に給装された場合には、これらフィードローラー６とリタードローラー１３とによって用紙が捌かれ、最上位の１枚のみが搬送されるよう構成されている。
【００１６】
そして、フィードローラー６とリタードローラー１３とによって捌かれた用紙は、中間搬送ローラー７によって搬送方向を装置後方へと変えられてレジストローラー対８へと搬送され、レジストローラー対８によってタイミングを調整されて画像形成部９へと供給される。
【００１７】
画像形成部９は、電子写真プロセスによって用紙に所定のトナー像を形成するものであり、図１において時計回り方向に回転可能に軸支された像担持体である感光体ドラム１４と、この感光体ドラム１４の周囲に配置される帯電装置１５、現像装置１６、クリーニング装置１７、用紙搬送路４を挟んで感光体ドラム１４に対向するように配置される転写ローラー１８及び感光体ドラム１４の上方に配置される露光装置（ＬＳＵ）１９から構成されている。現像装置１６の上方には、現像装置１６へトナーを補給するトナーコンテナ２０が配置されている。
【００１８】
パソコン等の上位装置から画像データが入力されると、先ず、帯電装置１５によって感光体ドラム１４の表面を一様に帯電させる。次いで、露光装置（ＬＳＵ）１９からのレーザービームにより感光体ドラム１４上に入力された画像データに基づく静電潜像が形成される。さらに、現像装置１６により静電潜像にトナーが付着されて感光体ドラム１４の表面にトナー像が形成される。感光体ドラム１４の表面に形成されたトナー像は、転写ローラー１８により感光体ドラム１４と転写ローラー１８との転写ニップ部（転写位置）に供給された用紙へと転写される。
【００１９】
トナー像が転写された用紙は、感光体ドラム１４から分離されて定着装置１０に向けて搬送される。この定着装置１０は、画像形成部９の用紙搬送方向の下流側に配置されており、画像形成部９においてトナー像が転写された用紙は、定着装置１０に備えられた加熱ローラー２２、及びこの加熱ローラー２２に圧接される加圧ローラー２３によって加熱、加圧され、用紙に転写されたトナー像が定着される。そして、画像形成部９及び定着装置１０において画像形成がなされた用紙は、排出ローラー対１１によって排紙部３に排出される。
【００２０】
転写後に感光体ドラム１４表面の残留トナーはクリーニング装置１７により除去され、感光体ドラム１４表面の残留電荷は除電装置（図示せず）により除電される。そして、感光体ドラム１４は帯電装置１５によって再び帯電され、以下同様にして画像形成が行われる。
【００２１】
図２は、図１における画像形成部９周辺の部分拡大図である。なお、図２ではクリーニング装置１７の記載を省略している。帯電装置１５は、感光体ドラム１４に接触してドラム表面に帯電バイアスを印加する帯電ローラー１５ａを有している。帯電ローラー１５ａは導電性ゴムで形成されており、感光体ドラム１４に当接するように配置されている。感光体ドラム１４が図２の時計回り方向に回転すると、感光体ドラム１４の表面に接触する帯電ローラー１５ａが図２の反時計回り方向に従動回転する。このとき、帯電ローラー１５ａに所定の電圧を印加することにより、感光体ドラム１４の表面が一様に帯電される。
【００２２】
現像装置１６は、現像ハウジング１６ａ内に現像ローラー２５と規制ブレード２７を備えている。現像ローラー２５は感光体ドラム１４に対し所定の隙間（現像ギャップ）Ｇを隔てて配置されている。現像ハウジング１６ａ内には、磁性を有するトナー成分のみから構成される一成分現像剤（以下、単にトナーともいう）が収容されている。現像装置１６へのトナーの補給はトナーコンテナ２０（図１参照）から行われる。
【００２３】
現像装置１６は、感光体ドラム１４と所定の隙間（現像ギャップＧ）を隔てて対向する現像ローラー２５によって感光体ドラム１４上に形成された静電潜像をトナー像に現像する。現像ローラー２５上のトナー層は規制ブレード２７によって層厚規制される。現像ローラー２５は図２の反時計回り方向に回転する。
【００２４】
転写ローラー１８は、感光体ドラム１４と接触することにより転写ニップ部Ｎ２を形成し、転写ニップ部Ｎ２を通過する用紙に感光体ドラム１４表面に形成されたトナー像を転写する。転写ローラー１８には、トナーと逆極性の転写バイアスを印加するための転写バイアス電源及びバイアス制御回路（いずれも図示せず）が接続されている。
【００２５】
レジストローラー対８と転写ローラー１８の間には搬送ガイド部３０が配置されている。搬送ガイド部３０は、用紙の上面に対向する上搬送ガイド３０ａと、用紙の下面に対向する下搬送ガイド３０ｂとで構成されている。
【００２６】
また、現像ハウジング１６ａから転写ローラー１８に亘って感光体ドラム１４と対向するように第１カバー部材３１が配置されている。さらに、現像ハウジング１６ａから帯電ローラー１５ａに亘って感光体ドラム１４と対向するように第２カバー部材３３が配置されている。
【００２７】
用紙搬送方向に対し搬送ガイド部３０の上流側端部は、レジストローラー対８に近接して配置されている。第１カバー部材３１の下端部は、転写ローラー１８に近接して配置されている。また、ここでは図示しないが、レジストローラー対８、感光体ドラム１４、現像ハウジング１６ａ、転写ローラー１８の軸方向（図２の紙面と垂直な方向）端部も第１カバー部材３１によって覆われている。
【００２８】
レジストローラー対８のニップ（レジストニップ部Ｎ１）及び転写ニップ部Ｎ２は用紙が通過できるのみである。そのため、上記の構成によれば、感光体ドラム１４、現像装置１６、レジストローラー対８、転写ローラー１８、搬送ガイド部３０、及び第１カバー部材３１で囲まれた空間と外側との間で空気が出入り可能であるのは感光体ドラム１４と現像ローラー２５との間の現像ギャップＧのみである。
【００２９】
即ち、感光体ドラム１４、転写ローラー１８、現像ローラー２５、レジストローラー対８と、それらの間に配置される現像ハウジング１６ａ、搬送ガイド部３０、及び第１カバー部材３１によって、現像ギャップＧから転写ニップ部Ｎ２までの領域に外部からの粉塵の進入を防ぐための略密閉された空間Ｓが形成されている。
【００３０】
図３及び図４は、それぞれ用紙が転写ニップ部Ｎ２に進入する際、及びレジストローラー対８を通過する際の用紙の変位についての説明図である。レジストローラー対８から搬送された用紙Ｐが転写ニップ部Ｎ２に進入する際、図３に示すように、用紙Ｐ（実線で表示）の先端は先ず感光体ドラム１４に衝突する。そして、衝撃によって用紙Ｐが搬送方向と直交する紙面方向に撓む（破線で表示）。このとき、用紙Ｐが上搬送ガイド３０ａ側に撓むことにより、空間Ｓ内に転写ニップ部Ｎ２から現像ギャップＧに向かう方向（感光体ドラム１４の回転方向と逆方向）の空気流が発生する。
【００３１】
具体的には、用紙Ｐの先端が感光体ドラム１４に衝突した際の用紙Ｐの変位は感光体ドラム１４の中心軸と直交する平面で、２０〜３０ｍｍ2であり、その変位に要する時間は１０〜３０ｍｓｅｃである。これにより、空間Ｓ内に０．００１ｍ2／ｓｅｃ程度の風量の空気流が発生する。発生した空気流は空間Ｓの唯一の開口部である現像ギャップＧに向かって流れるが、現像ギャップＧは１ｍｍ程度と狭いために、現像ギャップＧでは最大３〜６ｍ／ｓｅｃの空気流が発生する。このように、用紙Ｐの変位は小さいが現像ギャップＧが狭いために、現像ギャップＧを通過する空気流の流速は大きくなる。
【００３２】
一方、用紙Ｐがレジストローラー対８を通過する際、図４に示すように、レジストニップ部Ｎ１に挟持されていた用紙Ｐ（実線で表示）の後端が解放されることによって用紙Ｐの撓みが解消する（破線で表示）。その結果、用紙Ｐは下搬送ガイド３０ｂに近づく方向に変位するため、空間Ｓ内に現像ギャップＧから転写ニップ部Ｎ２に向かう方向（感光体ドラム１４の回転方向と同方向）の空気流が発生する。
【００３３】
そして、発生した空気流の影響を受けて、現像ギャップＧにおいて現像ローラー２５から感光体ドラム１４へ飛翔するトナー粒子が本来の感光体ドラム１４上の付着位置からずれた位置に付着し、現像乱れが発生する。
【００３４】
図５は、第１実施形態の画像形成装置１００に用いられる搬送ガイド部３０を構成する上搬送ガイド３０ａの側面図であり、図６は、上搬送ガイド３０ａを上方から見た平面図である。本実施形態では、図３及び図４で示したような用紙の変位による空気流の発生を抑制するために、上搬送ガイド３０ａに貫通孔３５を形成している。
【００３５】
貫通孔３５は、長手方向が用紙搬送方向（矢印Ａ方向）に沿う小判形状である。貫通穴３５を小判形状とすることにより、用紙の先端が貫通穴３５の開口縁に引っ掛かり難くしている。また、開口面積を確保するために、貫通孔３５は用紙幅方向（図６の左右方向）に複数個（ここでは６つ）並列に形成されている。
【００３６】
下搬送ガイド３０ｂとの対向面（図５の下面）には、各貫通孔３５の間に用紙搬送方向に沿って延在するリブ（ビード）４０が形成されている。リブ４０は、用紙の先端が貫通孔３５に引っ掛かることによる紙詰まり（ジャム）の発生を防止する。
【００３７】
図２に戻って、第１カバー部材３１には、現像ハウジング１６ａと上搬送ガイド３０ａとの間の部分（感光体ドラム１４の回転方向に対し現像ギャップＧの下流側）に正圧調整口３７が形成されている。感光体ドラム１４と現像ローラー２５の回転に伴い、帯電ローラー１５ａ側から現像ギャップＧを通過して空間Ｓ内に空気が流入する。正圧調整口３７は、この空気の流入によって発生する空気圧（正圧）を逃がすために設けられる。
【００３８】
図７は、第１カバー部材３１に形成される正圧調整口３７の部分断面図である。正圧調整口３７は、第１カバー部材３１に形成された通気口４１と、通気口４１を第１カバー部材３１の外側（図７の右側）から覆うフィルター４３とで構成される。正圧調整口３７は、フィルター４３を介して空間Ｓを外部と連通させることにより、空間Ｓ内から外部へのトナーの漏出を防止するとともに、外部からの粉塵の進入を防止する。
【００３９】
第２カバー部材３３には、現像ハウジング１６ａと帯電ローラー１５ａとの間の部分（感光体ドラム１４の回転方向に対し現像ギャップＧの上流側）に負圧調整口３９が形成されている。負圧調整口３９は、感光体ドラム１４と現像ローラー２５の回転に伴い第２カバー部材３３の内側に発生する空気圧（負圧）を逃がすために設けられる。負圧調整口３９の構成は、図７に示した正圧調整口３７の構成と同様である。
【００４０】
本実施形態の構成によれば、上搬送ガイド３０ａに形成された貫通孔３５からの空気の出入によって、用紙の先端が感光体ドラム１４に衝突する際、および用紙の後端がレジストローラー対８を抜ける際の用紙の変位に起因する空間Ｓ内の圧変化を吸収することができる。従って、現像ギャップＧを通過する空気流が発生しないため、現像乱れの発生を効果的に抑制することができる。
【００４１】
なお、空間Ｓは正圧調整口３７においても外部と連通しているが、正圧調整口３７は搬送ガイド部３０から距離があり、正圧調整口３７にはフィルター４３が配置されているため圧力損失が発生する。前述したように、搬送ガイド部３０内の用紙の先端または後端の変位は極めて短時間で起こるため、正圧調整口３７では用紙の変位による空気流の発生を抑えることは困難である。また、貫通孔３５を下搬送ガイド３０ｂに設けた場合、レジストニップ部Ｎ１と転写ニップ部Ｎ２に跨る用紙によって、貫通口３５は現像ギャップＧが存在する空間と隔てられるため、短時間で起こる用紙の変位に伴う圧変化を吸収することは困難である。
【００４２】
図８は、本発明の第２実施形態に係る画像形成装置１００に用いられる搬送ガイド部３０を構成する上搬送ガイド３０ａの側面図であり、図９は、上搬送ガイド３０ａを上方から見た平面図である。本実施形態では、上搬送ガイド３０ａの上面を覆うフィルム５０が設けられている。上搬送ガイド３０ａの他の部分の構成は第１実施形態と同様である。
【００４３】
フィルム５０は、上搬送ガイド３０ａに形成された全ての貫通孔３５を覆うように配置され、周縁部に形成された接着部５０ａのみが両面テープにより上搬送ガイド３０ａに接着されている。フィルム５０としては、厚さ０．１ｍｍ程度のポリエチレン、ポリプロピレンフィルム等が挙げられる。
【００４４】
用紙の変位による空間Ｓ内の空気の体積変化（圧変化）によって、フィルム５０は外側に変形する。用紙の変位は極めて短時間で発生するが、フィルム５０の質量は小さく、剛性は低いので、フィルム５０は用紙の変位に遅れずに変形する。そのため、用紙の変位に伴う空気流はほとんど発生せず、現像ギャップＧに到達しない。
【００４５】
また、用紙の変位が収まると、フィルム５０は復元力によって元の形状に戻るが、フィルム５０の剛性が低いため、フィルム５０の形状変化は緩やかにしか起こらない。そのため、フィルム５０が元の形状に戻るまでに正圧調整口３７から徐々に空気が逃げていく。従って、フィルム５０の形状変化により空気流が発生して現像ギャップＧに到達するおそれはない。
【００４６】
本実施形態の構成によれば、貫通孔３５をフィルム５０で覆うことにより、外部から空間Ｓ内への粉塵の進入を防止することができる。また、フィルム５０の厚さや材質を選択することにより、フィルム５０の変形に伴う空気流の発生も抑制することができる。
【００４７】
図１０は、本発明の第３実施形態に係る画像形成装置１００に用いられる搬送ガイド部３０を構成する上搬送ガイド３０ａの側面図であり、図１１は、上搬送ガイド３０ａを上方から見た平面図である。本実施形態においては、上搬送ガイド３０ａの貫通孔３５を覆うフィルム５０に蛇腹状の伸縮部５０ｂが形成されている。上搬送ガイド３０ａの他の部分の構成は第２実施形態と同様である。
【００４８】
本実施形態の構成によれば、フィルム５０に伸縮部５０ｂを形成することにより、フィルム５０が変形し易くなる。従って、用紙の変位による空間Ｓ内の空気の体積変化（圧変化）を吸収し易くなり、現像ギャップＧを通過する空気流の発生をより効果的に抑制することができる。
【００４９】
その他本発明は、上記実施形態に限定されず、本発明の趣旨を逸脱しない範囲で種々の変更が可能である。例えば、図２に示したような帯電ローラー１５ａを用いた接触帯電方式の帯電装置１５に代えて、コロナワイヤーとグリッドとを備えたコロナ帯電方式の帯電装置を用いることもできる。また、一成分現像式の現像装置１６に代えて、トナーと磁性キャリアとを含む二成分現像剤を用いる二成分現像式の現像装置とすることもできる。
【００５０】
さらに、本発明の画像形成装置１００としては、図１に示したようなモノクロプリンターに限らず、モノクロ複写機、デジタル複合機、ファクシミリ等の、感光体ドラム、現像装置、転写部材、レジストローラー対で構成される空間の機密性を高めた構成を有する他の画像形成装置であっても良い。
【産業上の利用可能性】
【００５１】
本発明は、感光体ドラム等の像担持体と、像担持体を帯電させる帯電装置を備えた画像形成装置に利用可能である。本発明の利用により、像担持体周辺に存在するトナーのブロッキングやケーキングを起こすことなく、像担持体表面を効率良く加熱して画像流れの発生を効果的に抑制できる画像形成装置となる。
【符号の説明】
【００５２】
８              レジストローラー対
９              画像形成部
１４            感光体ドラム（像担持体）
１５            帯電装置
１５ａ          帯電ローラー
１６            現像装置
１８            転写ローラー（転写部材）
２５            現像ローラー（現像剤担持体）
３０            搬送ガイド部
３０ａ          上搬送ガイド（第１搬送ガイド）
３０ｂ          下搬送ガイド（第２搬送ガイド）
３１            第１カバー部材
３３            第２カバー部材
３５            貫通孔
３７            正圧調整口
３９            負圧調整口
４０            リブ
４１            通気口
４３            フィルター
５０            フィルム
５０ａ          接着部
５０ｂ          伸縮部
１００          画像形成装置
Ｇ              現像ギャップ
Ｎ１            レジストニップ部
Ｎ２            転写ニップ部
Ｓ              空間（略密閉空間）
【図１】
0006465069.tif 000002
【図２】
0006465069.tif 000003
【図３】
0006465069.tif 000004
【図４】
0006465069.tif 000005
【図５】
0006465069.tif 000006
【図６】
0006465069.tif 000007
【図７】
0006465069.tif 000008
【図８】
0006465069.tif 000009
【図９】
0006465069.tif 000010
【図１０】
0006465069.tif 000011
【図１１】
0006465069.tif 000012